【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
データが保存されてなるデータ保存媒体であって、
第１面及びそれに対向する第２面を有する、石英からなる基材と、
前記基材の第１面上に設定された保存領域内に形成されてなる凹凸構造と
を備え、
前記保存領域は、少なくとも一方向に並列されてなる複数の単位保存領域と、隣接する前記単位保存領域の間に位置するデータ非保存領域とを含み、
前記凹凸構造は、前記データを複数に分割して得られる複数の単位データの単位ビット列を凹部及び凸部にて示す複数の単位データパターンと、前記保存領域内における前記複数の単位保存領域のそれぞれの位置情報を示すアドレスパターンと、隣接する前記単位保存領域の境界を示す境界パターンとを含み、
前記複数の単位データパターンのそれぞれは、前記複数の単位保存領域の並列順に、当該複数の単位保存領域のそれぞれに形成されており、
前記アドレスパターンは、前記複数の単位データパターンのそれぞれが形成されている前記複数の単位保存領域のそれぞれに対応して、前記データ非保存領域に形成されていることを特徴とするデータ保存媒体。
【請求項２】
少なくとも前記単位データパターンは、前記保存領域内に仮想グリッドを設定したときに、前記仮想グリッドの交点に重なるように位置していることを特徴とする請求項１に記載のデータ保存媒体。
【請求項３】
前記単位データパターン及び前記アドレスパターンは、相互に実質的に同一の寸法を有することを特徴とする請求項１又は２に記載のデータ保存媒体。
【請求項４】
前記保存領域には、前記複数の単位保存領域がＭ行×Ｎ列（Ｍ及びＮは、その一方が２以上の整数であり、他方が１以上の整数である。）の行列配置で並列されており、
前記アドレスパターンは、前記各単位保存領域の並列位置であるｐ行目（ｐは１以上Ｍ以下の整数である。）及びｑ列目（ｑは１以上Ｎ以下の整数である。）を表す凹凸構造により構成されていることを特徴とする請求項１〜３のいずれかに記載のデータ保存媒体。
【請求項５】
データの保存に供されるデータ保存用媒体であって、
第１面及びそれに対向する第２面を有する、石英からなる基材を備え、
前記基材の第１面上に、複数の単位保存領域が並列されてなる保存領域が設定され、
前記保存領域は、少なくとも一方向に並列されてなる複数の単位保存領域と、隣接する前記単位保存領域の間に位置するデータ非保存領域とを含み、
前記複数の単位保存領域のそれぞれは、前記データのデータ内容を複数に分割してなる単位データの単位ビット列を凹部及び凸部にて示す複数の単位データパターンのそれぞれが形成される予定の領域であり、
前記データ非保存領域には、前記保存領域内における前記単位保存領域の位置情報を示すアドレスパターンが前記複数の単位保存領域のそれぞれに対応して形成されているとともに、隣接する単位保存領域の境界を示す境界パターンが形成されており、
前記アドレスパターン及び前記境界パターンは、いずれも凹凸構造により構成されていることを特徴とするデータ保存用媒体。
【請求項６】
前記保存領域には、前記複数の単位保存領域がＭ行×Ｎ列（Ｍ及びＮは、その一方が２以上の整数であり、他方が１以上の整数である。）の行列配置で並列されており、
前記アドレスパターンは、前記各単位保存領域の並列位置であるｐ行目（ｐは１以上Ｍ以下の整数である。）及びｑ列目（ｑは１以上Ｎ以下の整数である。）を表す凹凸構造により構成されていることを特徴とする請求項５に記載のデータ保存用媒体。
【請求項７】
請求項１〜４のいずれかに記載のデータ保存媒体を製造する方法であって、
第１面及びそれに対向する第２面を有する、石英からなるデータ保存媒体用基材の当該第１面側における、前記データ保存媒体の前記保存領域に相当する領域内に仮想グリッドを設定し、
前記データ保存媒体に保存される前記データを複数に分割して得られる複数の単位データの単位ビット列を凹部及び凸部にて示す前記単位データパターンに対応するレジストパターンを、前記仮想グリッドの交点上であって、前記データ保存媒体の前記各単位保存領域に相当する領域内に形成し、
前記アドレスパターン及び前記境界パターンのそれぞれに対応するレジストパターンを、前記データ保存媒体の前記データ非保存領域に相当する領域内に形成し、
前記レジストパターンをマスクとして前記データ保存媒体用基材の第１面をエッチングする
ことを特徴とするデータ保存媒体の製造方法。
【請求項８】
前記単位データパターン及び前記アドレスパターンのそれぞれに対応する前記レジストパターンは、相互に実質的に同一の寸法を有するように形成されることを特徴とする請求項７に記載のデータ保存媒体の製造方法。
【請求項９】
前記データ保存媒体用基材は、前記第１面上にハードマスク層を有し、
前記レジストパターンを前記ハードマスク層上に形成し、当該レジストパターンをマスクとして前記ハードマスク層をエッチングしてハードマスクパターンを形成し、
前記ハードマスクパターンをマスクとして前記データ保存媒体用基材の第１面をエッチングすることを特徴とする請求項７又は８に記載のデータ保存媒体の製造方法。
【請求項１０】
請求項１〜４のいずれかに記載のデータ保存媒体に保存されているデータを読み出す装置であって、
前記複数の単位保存領域のそれぞれ及び当該各単位保存領域の位置情報を示す前記アドレスパターンを含む複数の画像データを取得する画像データ取得部と、
前記画像データから、前記複数の単位保存領域のそれぞれに形成されている前記単位データパターンに基づいて前記単位データを読み出すデータ読出部と、
前記画像データから、前記データ非保存領域に形成されている前記アドレスパターンに基づいて前記各単位保存領域の位置情報を読み出す位置情報読出部と、
前記データ読出部により読み出された前記単位データ及び前記単位保存領域の位置情報を関連付けて記憶する記憶部と、
前記データ読出部により読み出された前記複数の単位データに基づいて、前記データを復元するデータ復元部と
を備えることを特徴とするデータ読出装置。
【請求項１１】
前記画像データ取得部により取得された前記画像データから、前記単位保存領域に形成されている前記単位データパターンに基づいて前記単位データの読み出しが可能であるか否かを判断する判断部と、
前記判断部により前記単位データの読み出しが不可能であると判断された場合に、エラーデータを生成するエラーデータ生成部と
をさらに備え、
前記データ読出部は、前記判断部により前記単位データの読み出しが可能であると判断された場合に、前記単位データパターンに基づいて前記単位データを読み出し、
前記記憶部は、前記データ読出部により読み出された前記単位データ及びそれに対応する前記単位保存領域の位置情報、又は前記エラーデータ生成部により生成された前記エラーデータ及び前記単位保存領域の位置情報を関連付けて記憶する
ことを特徴とする請求項１０に記載のデータ読出装置。
【請求項１２】
前記画像データ取得部は、前記エラーデータ生成部により生成された前記エラーデータが前記記憶部に記憶されたときに、前記エラーデータに関連付けられて前記記憶部に記憶された前記単位保存領域の位置情報に基づき、前記データ保存媒体の複製物における当該位置情報と同一の位置情報を示すアドレスパターンにより特定される単位保存領域を含む画像データを取得することを特徴とする請求項１１に記載のデータ読出装置。
【請求項１３】
請求項１〜４のいずれかに記載のデータ保存媒体に保存されているデータを読み出す方法であって、
前記複数の単位保存領域のそれぞれ及び当該各単位保存領域の位置情報を示す前記アドレスパターンを含む複数の画像データを取得する工程と、
前記画像データから、前記複数の単位保存領域のそれぞれに形成されている前記単位データパターンに基づいて前記単位データを読み出す工程と、
前記画像データから、前記データ非保存領域に形成されている前記アドレスパターンに基づいて前記各単位保存領域の位置情報を読み出す工程と、
前記単位データ及び前記単位保存領域の位置情報を関連付けて記憶する工程と、
前記複数の単位データに基づいて、前記データを復元する工程と
を含むことを特徴とするデータ読出方法。
【請求項１４】
前記画像データから、前記単位保存領域に形成されている前記単位データパターンに基づいて前記単位データの読み出しが可能であるか否かを判断する工程と、
前記単位データの読み出しが不可能であると判断された場合に、エラーデータを生成する工程と
をさらに含み、
前記単位データを読み出す工程において、前記単位データの読み出しが可能であると判断された場合に、前記単位データパターンに基づいて前記単位データを読み出し、
前記記憶する工程において、前記単位データ及びそれに対応する前記単位保存領域の位置情報、又は前記エラーデータ及び前記単位保存領域の位置情報を関連付けて記憶する
ことを特徴とする請求項１３に記載のデータ読出方法。
【請求項１５】
前記エラーデータが記憶されたときに、前記エラーデータに関連付けられて記憶された前記単位保存領域の位置情報に基づき、前記データ保存媒体の複製物における当該位置情報と同一の位置情報を示すアドレスパターンにより特性される単位保存領域を含む画像データを取得する工程をさらに有することを特徴とする請求項１４に記載のデータ読出方法。
【手続補正２】
【補正対象書類名】明細書
【補正対象項目名】００１１
【補正方法】変更
【補正の内容】
【００１１】
上記課題を解決するために、本発明は、データが保存されてなるデータ保存媒体であって、第１面及びそれに対向する第２面を有する、石英からなる基材と、前記基材の第１面上に設定された保存領域内に形成されてなる凹凸構造とを備え、前記保存領域は、少なくとも一方向に並列されてなる複数の単位保存領域と、隣接する前記単位保存領域の間に位置するデータ非保存領域とを含み、前記凹凸構造は、前記データを複数に分割して得られる複数の単位データの単位ビット列を凹部及び凸部にて示す複数の単位データパターンと、前記保存領域内における前記複数の単位保存領域のそれぞれの位置情報を示すアドレスパターンと、隣接する前記単位保存領域の境界を示す境界パターンとを含み、前記複数の単位データパターンのそれぞれは、前記複数の単位保存領域の並列順に、当該複数の単位保存領域のそれぞれに形成されており、前記アドレスパターンは、前記複数の単位データパターンのそれぞれが形成されている前記複数の単位保存領域のそれぞれに対応して、前記データ非保存領域に形成されていることを特徴とするデータ保存媒体を提供する（発明１）。
【手続補正３】
【補正対象書類名】明細書
【補正対象項目名】００１３
【補正方法】変更
【補正の内容】
【００１３】
上記発明（発明１）において、少なくとも前記単位データパターンは、前記保存領域内に仮想グリッドを設定したときに、前記仮想グリッドの交点に重なるように位置しているのが好ましく（発明２）、上記発明（発明１，２）において、前記単位データパターン及び前記アドレスパターンは、相互に実質的に同一の寸法を有するのが好ましい（発明３）。
【手続補正４】
【補正対象書類名】明細書
【補正対象項目名】００１５
【補正方法】変更
【補正の内容】
【００１５】
また、本発明は、データの保存に供されるデータ保存用媒体であって、第１面及びそれに対向する第２面を有する、石英からなる基材を備え、前記基材の第１面上に、複数の単位保存領域が並列されてなる保存領域が設定され、前記保存領域は、少なくとも一方向に並列されてなる複数の単位保存領域と、隣接する前記単位保存領域の間に位置するデータ非保存領域とを含み、前記複数の単位保存領域のそれぞれは、前記データのデータ内容を複数に分割してなる単位データの単位ビット列を凹部及び凸部にて示す複数の単位データパターンのそれぞれが形成される予定の領域であり、前記データ非保存領域には、前記保存領域内における前記単位保存領域の位置情報を示すアドレスパターンが前記複数の単位保存領域のそれぞれに対応して形成されているとともに、隣接する単位保存領域の境界を示す境界パターンが形成されており、前記アドレスパターン及び前記境界パターンは、いずれも凹凸構造により構成されていることを特徴とするデータ保存用媒体を提供する（発明５）。
【手続補正５】
【補正対象書類名】明細書
【補正対象項目名】００１７
【補正方法】変更
【補正の内容】
【００１７】
さらに、本発明は、上記発明（発明１〜４）に係るデータ保存媒体を製造する方法であって、第１面及びそれに対向する第２面を有する、石英からなるデータ保存媒体用基材の当該第１面側における、前記データ保存媒体の前記保存領域に相当する領域内に仮想グリッドを設定し、前記データ保存媒体に保存される前記データを複数に分割して得られる複数の単位データの単位ビット列を凹部及び凸部にて示す前記単位データパターンに対応するレジストパターンを、前記仮想グリッドの交点上であって、前記データ保存媒体の前記各単位保存領域に相当する領域内に形成し、前記アドレスパターン及び前記境界パターンのそれぞれに対応するレジストパターンを、前記データ保存媒体の前記データ非保存領域に相当する領域内に形成し、前記レジストパターンをマスクとして前記データ保存媒体用基材の第１面をエッチングすることを特徴とするデータ保存媒体の製造方法を提供する（発明７）。
【手続補正６】
【補正対象書類名】明細書
【補正対象項目名】００１８
【補正方法】変更
【補正の内容】
【００１８】
上記発明（発明７）において、前記単位データパターン及び前記アドレスパターンのそれぞれに対応する前記レジストパターンは、相互に実質的に同一の寸法を有するように形成されるのが好ましい（発明８）。